(57)【要約】【課題】延長コードを不要にし、電気機器が設置、使用等されるその場で電気機器に電源を供給するとともに、電気機器等の載置場所として活用する。【解決手段】壁体１の表面側に第１の係合部３が設けられ、第１の係合部に係合する第１の被係合部６がラック５に設けられ、第１の被係合部を第１の係合部に係合させることによりラックが壁体の表面側に取り付けられ、ラックは第２の係合部８を備え、第２の係合部に係合する第２の被係合部１４が設けられるとともに、伸縮する電源コード１２を備えたコンセント１１が、第２の被係合部を第２の係合部に係合させることによりラックに取り付けられる。【選択図】図１
2008027628.tif 000002
【特許請求の範囲】
【請求項１】
壁体の表面側に第１の係合部が設けられ、第１の係合部に係合する第１の被係合部がラックに設けられ、第１の被係合部を第１の係合部に係合させることによりラックが壁体の表面側に取り付けられ、ラックは第２の係合部を備え、第２の係合部に係合する第２の被係合部が設けられるとともに、伸縮する電源コードを備えたコンセントが、第２の被係合部を第２の係合部に係合させることによりラックに取り付けられることを特徴とする壁面ラックコンセント装置。
【請求項２】
横方向に延びる平行な複数段の第１の係合部が壁体の上下方向に設けられていることを特徴とする請求項１に記載の壁面ラックコンセント装置。
【請求項３】
第１の係合部は、壁体の表面側から内部に向かって形成され、壁体の表面側において開放した横長の係合溝であることを特徴とする請求項１または２に記載の壁面ラックコンセント装置。
【請求項４】
第１の係合部は、正面から内部に向かって形成され、正面において開放した係合溝を有する横長のレールであり、壁体の表面に取り付けられることを特徴とする請求項１または２に記載の壁面ラックコンセント装置。
【請求項５】
第２の係合部は、第１の係合部としての係合溝と同じ係合溝を有するレールであり、第２の被係合部は第１の係合部にも係合し、コンセントが、直接壁体の表面側に取付可能となっていることを特徴とする請求項３に記載の壁面ラックコンセント装置。
【請求項６】
第２の係合部は、第１の係合部としてのレールの係合溝と同じ係合溝を有するレールであり、第２の被係合部は第１の係合部にも係合し、コンセントが、直接壁体の表面側に取付可能となっていることを特徴とする請求項４に記載の壁面ラックコンセント装置。
【請求項７】
壁体は作業台の後方に位置し、電源コードが上方から延び、上下に伸縮することを特徴とする請求項１ないし６いずれか一項に記載の壁面ラックコンセント装置。
【発明の詳細な説明】
【技術分野】
【０００１】
本発明は、コンセントの取付けが可能なラックを壁体の表面側の所望位置に取付可能で、ラックの上に載せた電気機器に電源を供給する壁面ラックコンセント装置に関する。
【背景技術】
【０００２】
住宅等では、電源供給用のコンセントが内壁を形成する壁体に配設されている。各種の電気機器は、電源コードの先端に設けられたプラグをコンセントに接続することにより電源が供給され、使用可能となる。コンセントの配設位置は、電気機器の設置位置や使い勝手等を考慮して決められているが、最大公約数的にならざるを得ず、すべての電気機器の設置、使用等の態様に対応することはできない。このため、延長コードの使用が必要になる場合が少なくない。
【０００３】
このような不都合を解消するために、コンセントを備えた家具等が提供され、電気機器が設置、使用等されるその場で電気機器に電源を供給することができるようにしている。たとえばキッチンでは、吊り戸棚の下面にコンセントが設けられ、作業台である厨房装置のカウンターの上に置いて使用されるコーヒーメーカー、ジューサー等の各種の電気機器の電源供給部としている（特許文献１）。
【特許文献１】特開平８−１５４７５７号公報
【発明の開示】
【発明が解決しようとする課題】
【０００４】
しかしながら、そのように家具等にコンセントが配設されていても、コンセントの配設位置または電気機器の電源コードの長さによっては電源コードがコンセントに届かない場合があり、延長コードが必要になっている。延長コードを不要にする方策が望まれる。また、単に電気機器に電源を供給するだけでなく、付加価値のあるものとして実現する工夫も望まれる。
【０００５】
本発明は、以上の通りの事情に鑑みてなされたものであり、延長コードを不要にし、電気機器が設置、使用等されるその場で電気機器に電源を供給するとともに、電気機器等の載置場所として活用することのできる壁面ラックコンセント装置を提供することを課題としている。
【課題を解決するための手段】
【０００６】
本発明の壁面ラックコンセント装置は、上記の課題を解決するために、以下のことを特徴としている。
【０００７】
第１に、壁体の表面側に第１の係合部が設けられ、第１の係合部に係合する第１の被係合部がラックに設けられ、第１の被係合部を第１の係合部に係合させることによりラックが壁体の表面側に取り付けられ、ラックは第２の係合部を備え、第２の係合部に係合する第２の被係合部が設けられるとともに、伸縮する電源コードを備えたコンセントが、第２の被係合部を第２の係合部に係合させることによりラックに取り付けられる。
【０００８】
第２に、上記において、横方向に延びる平行な複数段の第１の係合部が壁体の上下方向に設けられている。
【０００９】
第３に、上記において、第１の係合部は、壁体の表面側から内部に向かって形成され、壁体の表面側において開放した横長の係合溝である。
【００１０】
第４に、上記において、第１の係合部は、正面から内部に向かって形成され、正面において開放した係合溝を有する横長のレールであり、壁体の表面に取り付けられる。
【００１１】
第５に、上記において、第２の係合部は、第１の係合部としての係合溝と同じ係合溝を有するレールであり、第２の被係合部は第１の係合部にも係合し、コンセントが、直接壁体の表面側に取付可能となっている。
【００１２】
第６に、上記において、第２の係合部は、第１の係合部としてのレールの係合溝と同じ係合溝を有するレールであり、第２の被係合部は第１の係合部にも係合し、コンセントが、直接壁体の表面側に取付可能となっている。
【００１３】
第７に、上記において、壁体は作業台の後方に位置し、電源コードが上方から延び、上下に伸縮する。
【発明の効果】
【００１４】
上記第１の発明によれば、壁体の表面側に設けられた第１の係合部に第１の被係合部を係合させてラックを壁体の表面側に取り付け、ラックに備えた第２の係合部に第２の係合部を係合させて伸縮する電源コードを備えたコンセントをラックに取り付けるので、壁体の適所に第１の係合部を設けておくことにより、各種電気機器が設置、使用等されるその場にコンセントを配置することができ、電気機器の電源コード先端のプラグを直接コンセントに接続することができる。したがって、延長コードは不要になり、電気機器が設置、使用等されるその場で電気機器に電源を供給することができる。ラックの上には電気機器等を載せることができ、載置場所として有効に利用することができる。付加価値のあるものとなる。電気機器の場合、電源コードも載せることができ、配線が乱雑にならず、整理することができる。
【００１５】
上記第２の発明によれば、上記の発明の効果に加え、電気機器の設置、使用等の態様に応じてラックおよびコンセントの配置位置を変えることができ、ラックおよびコンセントを壁体の表面側の適当な位置に配置することができる。
【００１６】
上記第３の発明によれば、上記の発明の効果に加え、第１の係合部が壁体と一体に形成されるので、壁体の外観が良好になる。
【００１７】
上記第４の発明によれば、上記の発明の効果に加え、第１の係合部はレールであるため、壁体に後付けすることもでき、既設の壁体の表面側にもラックを取り付け、コンセントを配置することができる。
【００１８】
上記第５の発明によれば、上記の発明の効果に加え、コンセントを直接壁体の表面側に取り付けることもでき、電気機器の使用態様等に応じて電気機器に電源を供給することができる。
【００１９】
上記第６の発明によれば、第５の発明と同様に、コンセントを直接壁体の表面側に取り付けることもでき、電気機器の使用態様等に応じて電気機器に電源を供給することができる。
【００２０】
上記第７の発明によれば、上記の発明の効果に加え、作業台で行う作業に適した位置にコンセントを配置または取り付けることができ、電気機器に電源を供給することができる。また、コンセントが備える電源コードは上方から延び、上下に伸縮するので、作業台で行う作業の邪魔にならない。
【発明を実施するための最良の形態】
【００２１】
図１、図２は、それぞれ、本発明の壁面ラックコンセント装置の一実施形態を示した要部斜視図、要部側面図である。
【００２２】
壁体１の表面を形成する表面板２に第１の係合部３が設けられている。第１の係合部３は、係合溝４であり、表面板２の表面から内部に向かってなだらかに上方に湾曲して形成され、表面板２の表面において開放している。係合溝４は、横長であり、表面板２の横方向に延びている。
【００２３】
ラック５は板状であり、ラック５には、背面側の一端に、表面板２の表面側に設けられた第１の係合部３としての係合溝４に係合する第１の被係合部６が設けられている。第１の被係合部６は、係合溝４の断面形状に一致する断面形状を有する突起体７である。突起体７は、ラック５の横幅にわたって設けられ、ラック５の背面側の一端において、ラック５の厚み方向の略中央から外方に延設され、上方になだらかに湾曲している。
【００２４】
また、ラック５は、第１の被係合部６としての突起体７が設けられた側の端部に第２の係合部８を備えている。第２の係合部８は、正面から内部に向かって形成され、正面において開放した係合溝９を有する短尺のレール１０である。レール１０は、ラック５の上の左隅部に、突起体７が設けられた側の端縁に沿って配設されている。
【００２５】
コンセント１１は、上方から延び、上下に伸縮する電源コード１２を備え、正面に、各種電気機器の電源コード先端に設けられたプラグの差込みを可能とした差込部１３を有している。コンセント１１の内部では、差込部１３に臨む接続端子が電源コード１２に電気的に接続されている。コンセント１１には、背面側の一端に、ラック５が備える第２の係合部８としてのレール１０の係合溝９に係合する第２の被係合部１４が設けられている。第２の被係合部１４は、レール１０の係合溝９の断面形状に一致する断面形状を有する突起体１５である。突起体１５は、コンセント１１の横幅にわたって設けられ、コンセント１１の背面側の一端において、コンセント１１の厚み方向の略中央から外方に延設され、上方になだらかに湾曲している。
【００２６】
ラック５は、第１の被係合部６である突起体７を第１の係合部３である係合溝４に係合させることにより表面板２の表面に取り付けられる。コンセント１１は、第２の被係合部１４である突起体１５を第２の係合部８であるレール１０の係合溝９に係合させることによりラック５に取り付けられる。
【００２７】
すなわち、突起体７を係合溝４に対向させ、図３（ａ）に示したように、突起体７側を下に傾けて突起体７の先端部を係合溝４の入口部に差し込み、次いで、図３（ｂ）に示したように、ラック５を押し込みながら下方に回動することにより突起体７が係合溝４に嵌まり込み、突起体７が係合溝４に係合する。この係合状態においてラック５は、表面板２の表面に取り付けられる。
【００２８】
コンセント１１の取付けも同様であり、突起体１５をレール１０の係合溝９に対向させ、図４（ａ）に示したように、突起体１５側を下に傾けて突起体１５の先端部を係合溝９の入口部に差し込み、次いで、図４（ｂ）に示したように、コンセント１１を押し込みながら下方に回動することにより突起体１５が係合溝９に嵌まり込み、突起体１５が係合溝９に係合する。この係合状態においてコンセント１１は、レール１０に取り付けられる。
【００２９】
コンセント１１には、図５に示したように、たとえばＤＶＤプレーヤー１６等の電気機器を、電源コード１７の先端に設けられたプラグ１８を差込部１３に差し込み、直接接続することができる。電気機器は、設置、使用等の態様に応じてラック５の上に載せることができる。この場合、電源コード１７もラック５の上に載せることができる。
【００３０】
このように、ラック５は、壁体１の表面側に設けられた第１の係合部３に第１の被係合部６を係合させることにより壁体１の表面側に取り付けられ、壁体１の表面側に取り付けられたラック５に、第２の係合部８に第２の被係合部１４を係合させることにより、伸縮する電源コード１２を備えたコンセント１１が取り付けられる。このため、壁体１の適所に第１の係合部３を設けておくことにより、各種電気機器が設置、使用等されるその場にコンセント１１を配置することができ、電気機器の電源コード１７の先端に設けられたプラグ１８を直接コンセント１１に接続することができる。したがって、延長コードは不要になり、電気機器が設置、使用等されるその場で電気機器に電源を供給することができる。ラック５の上には電気機器やリモートコントローラー等を載せることができ、載置場所として有効に利用することができる。付加価値のあるものとなる。電気機器の場合、電源コード１７もラック５の上に載せることができ、配線が乱雑にならず、整理することができる。
【００３１】
ラック５およびコンセント１１は取り外すこともできる。図３（ａ）（ｂ）および図４（ａ）（ｂ）に示した手順と逆に操作することにより、ラック５は壁体１から、コンセント１１はラック５から取り外すことができる。上方に回動した後、引き抜くことにより取り外すことができる。
【００３２】
また、図１〜図５に示した実施形態では、第１の係合部３は係合溝４であり、表面板２に形成されているので、第１の係合部３は壁体１と一体であり、壁体１の外観が良好である。
【００３３】
第１の係合部３は、図６に示したように、横方向に延びる平行な複数段として壁体１の上下方向に設けることができる。すなわち、図６に示した実施形態では、第１の係合部３である係合溝４が表面板２に、表面板２の上下方向に一定の間隔で複数段形成されている。このように、第１の係合部３を平行な複数段とすることにより、電気機器の設置、使用等の態様に応じてラック５およびコンセント１１の配置位置を変えることができ、ラック５およびコンセント１１を壁体１の表面側の適当な位置に配置することができる。
【００３４】
なお、本発明の壁面ラックコンセント装置では、第１の係合部３が設けられる壁体１の表面側は表面板２に限られることはなく、壁体１の表面側に位置する各種のものとすることができる。また、第１の係合部３は係合溝４に限られることはなく、壁体１の表面側に設けられるものであればよい。たとえば第１の係合部３は壁体１と別体の部材等とし、壁体１の表面に取り付けるようにすることができる。さらに、第１の係合部３の形状および第１の係合部３に係合する第１の被係合部６の形状は図１〜図６に示したものに限られない。ラック５を係合により壁体１の表面側に取り付けることができる限り特に制限はない。
【００３５】
ラック５については、その形状は特に制限されない。そして、第１の被係合部６はラック５の横幅にわたって設ける以外に、ラック５の左右両側、横幅方向の中央部等に部分的に設けることができる。自重とともに上に載せる電気機器等の荷重を受け、脱落せずに取付状態が維持されればよい。
【００３６】
第２の係合部８の形状および第２の係合部８に係合する第２の被係合部１４の形状も図１〜図６に示したものに限られない。コンセント１１を係合により第２の係合部８に取り付けることができる限り特に制限はない。第２の係合部８としてのレール１０は、図１および図５に示したように、第１の被係合部６側のラック５の上の左隅部に設ける以外に、第１の被係合部６側のラック５の上に端縁に沿って連続してまたは部分的に設けたり、ラック５の左右いずれかまたは両方の端縁に沿って連続してまたは部分的に設けたりすることもできる。また、第２の係合部８としてのレール１０は、ラック５の載置面積を十分に確保することができれば、ラック５の上の内側に配置することができる。
【００３７】
コンセント１１についても、その形状は特に制限されない。そして、第２の被係合部１４は、コンセント１１の横幅にわたって設ける以外に、コンセント１１の左右両側または横幅方向の中央部に部分的に設けることもできる。コンセント１１の取付状態が安定すれば各種の態様が可能である。電源コード１２は、上方から延びるばかりでなく、横方向に延び、左右に伸縮するものとすることもできる。コンセント１１への電源コード１２の接続位置は、第２の被係合部１４を除き、延びる方向に応じて適宜な位置とすることができる。差込部１３は、コンセント１１の正面ばかりでなく、上面、左右の側面のいずれに設けてもよく、複数の面に設けることもできる。また、差込部１３の数は単数または複数とすることができる。
【００３８】
図７は、図１〜図６に示した壁面ラックコンセント装置をキッチンに適用した例を示した要部斜視図である。
【００３９】
壁体１は、厨房装置１９の作業台２０としてのカウンター２１の後方に位置している。第１の係合部３としての係合溝４は、壁体１の表面に配設された、いわゆるキッチンボード２２に形成されている。キッチンボード２２は、表面の油汚れ等を簡単に拭き取れるようにした板体である。キッチンボード２２は、吊り戸棚２３およびレンジフード２４の下端から厨房装置１９の上端の間に配設されている。係合溝４は、キッチンボード２２の横方向に延び、キッチンボード２２の高さ方向に一定の間隔で平行に３段形成されている。
【００４０】
ラック５は、シンク２５の左隣に位置するカウンター２１の作業面２６の上方に位置する中段の係合溝４に第１の被係合部６としての突起体７を係合させてキッチンボード２２の表面に取り付けられている。
【００４１】
コンセント１１は、上方から引き下げ、キッチンボード２２の表面に取り付けられたラック５の上の左隅部に備えた第２の係合部８としてのレール１０の係合溝９に第２の被係合部１４としての突起体１５を係合させてラック５に取り付けられている。コンセント１１に備えた電源コード１２は、上方に位置する吊り戸棚２３の下端に配設された収納部２７から下方に向かって延びている。電源コード１２は、コンセント１１の取付位置に応じて上下に伸縮可能であり、露出しない部分は収納部２７に収納される。また、下方に向かって延びる電源コード１２は、留め金具２８によって押さえられ、揺れないようにされている。留め金具２８は、電源コード１２を上下方向に通して保持する保持部２９と係合溝４に係合する係合部３０とを備えている。
【００４２】
ＤＶＤプレーヤー１６が、電源コード１７の先端に設けられたプラグ１８を差込部１３に差し込み、コンセント１１に直接接続されている。延長コードは不要であり、ＤＶＤプレーヤー１６に電源が供給される。ＤＶＤプレーヤー１６は、電源コード１７とともにラック５の上に載せられている。キッチンで調理、洗浄等の作業を行う者は、ＤＶＤを鑑賞しながら作業を行うことができる。また、ＤＶＤプレーヤー１６はラック５の上に載せられているので、カウンター２１の作業面２６を調理、洗浄等の作業に有効に使用することができる。さらに、コンセント１１に備えた電源コード１２は、上方の収納部２７から延びているため、カウンター２１の作業面２６で行う作業の邪魔にならない。
【００４３】
なお、キッチンへの適用を考慮すると、第２の係合部８としてのレール１０は、ＤＶＤプレーヤー１６等の電気機器をはみ出さずに安定して載せることができる範囲内で、ラック５の上の内側に配置することができる。レール１０がラック５の上の内側に設けられることにより、レール１０に取り付けるコンセント１１がラック５の内側に配置される。したがって、下からの水はねや蒸気等をラック５で受けることができ、コンセント１１を保護することができる。
【００４４】
また、ラック５は、ＤＶＤプレーヤー１６等の電気機器ばかりでなく、リモートコントローラーや備品等を載せる載置場所としても利用可能である。さらに、ラック５は、常時キッチンボード２２の表面に取り付けておくのではなく、電気機器等の使用等に応じて取り付けるようにすることができる。たとえば、厨房装置１９に備えたキャビネットや吊り戸棚２３に収納し、必要に応じて取り出してキッチンボード２２の表面に取り付けることができる。
【００４５】
コンセント１１も、常時ラック５に取り付けておくのではなく、ＤＶＤプレーヤー１６等の電気機器の使用に応じて取り付けるようにすることができる。電気機器を使用しない場合には、たとえば、収納部２７に電源コード１２とともに収納することができる。収納部２７は、コンセント１１を収納する箱体等とすることができる。また、収納状態にあるコンセント１１は、収納部２７においてもコンセントとして使用することができるようにしてもよい。第２の係合部８に類似するものを収納部２７に設け、第２の被係合部１４の係合によりコンセント１１を収納部２７に取り付けることができる。
【００４６】
また、キッチンボード２２に設けられる第１の係合部３としての係合溝４は、掛け具３１や受け具３２等の取付けに利用すると便利である。調理、洗浄等の作業に使用する小物３３を掛け具３１に掛け、まな板３４を受け具３２を用いてシンク２５の上方に立てかけ、水切り等することができる。
【００４７】
さらに、ラック５に備えた第２の係合部８は、第１の係合部３としての係合溝４と同じ係合溝を有するレールとすることができる。この場合、コンセント１１に設けられた第２の被係合部１４は、第１の係合部３にも係合するため、図８に示したように、コンセント１１を直接キッチンボード２２の表面に取り付けることができる。
【００４８】
図８に示したキッチンへの適用例では、第２の被係合部１４である突起体１５を第１の係合部３である係合溝４に係合させてコンセント１１がキッチンボード２２の表面に取り付けられている。調理作業に使用するジューサー３５がカウンター２１の作業面２６の上に置かれ、電源コード３６の先端に設けられたプラグ３７がコンセント１１の差込部１３に差し込まれている。ジューサー３５の電源コード３６が届く範囲において係合溝４に突起体１５を係合させてコンセント１１がカウンター２１の後方に位置するキッチンボード２２の表面に取り付けられている。したがって、延長コードは不要であり、取り付けられたコンセント１１の差込部１３にプラグ３７を差し込むことにより、カウンター２１の作業面２６に置いて使用するジューサー３５に電源を供給することができる。コンセント１１に備えた電源コード１２は、上方の収納部２７から延びているため、カウンター２１の作業面２６で行う作業の邪魔にならない。
【００４９】
なお、ラック５はコンセント１１と異なる位置でキッチンボード２２の表面に取り付け、リモートコントローラーや備品等の載置場所として使用することができる。また、作業台２０としてのカウンター２１の作業面２６の上に置いてジューサー３５、コーヒーメーカー等の電気機器を使用する場合にも、コンセント１１を直接キッチンボード２２の表面に取り付けるのではなく、電源コード３６が届く範囲においてラック５をキッチンボード２２の表面に取り付け、ラック５にコンセント１１を取り付けてプラグ３７を差込部１３に差し込み、電源の供給を行うようにすることができる。
【００５０】
図８に示した適用例は、コンセント１１の取付けを除いて図７に示した適用例と同様であり、共通する部分には同一の符号を付している。
【００５１】
図９、図１０は、本発明の壁面ラックコンセント装置の別の実施形態を示した要部斜視図、要部側面図である。
【００５２】
図９および図１０に示した実施形態において図１〜図６に示した実施形態と共通する部分には同一の符号を付し、その説明を省略する。
【００５３】
図９および図１０に示した実施形態は、第１の係合部３の構成が図１〜図６に示した実施形態と相違している。
【００５４】
図９および図１０に示した実施形態では、第１の係合部３は、壁体１の表面を形成する表面板２の表面に取り付けられる、表面板２とは別体とされた横長のレール３８とされている。レール３８は、正面から内部に向かってなだらかに上方に湾曲して形成され、表面において開放する係合溝３９を有している。係合溝３９の断面形状はラック５に備えた第１の被係合部６である突起体７の断面形状に一致しており、したがって、突起体７は同様に係合溝３９に係合し、ラック５は表面板２の表面側に取り付けられる。
【００５５】
このような係合溝３９を有する横長のレール３８を第１の係合部３とすることにより、レール３８はあらかじめ表面板２に取り付けておくばかりでなく、後付けも可能である。既設の表面板２の表面側にもラック５を取り付け、取り付けたラック５にコンセント１１を取り付けることができる。
【００５６】
第１の係合部３としてのレール３８もまた複数段として平行に壁体１の上下方向に設けることができる。横方向に延びる平行な複数段のレール３８を壁体１の上下方向に設けることにより、電気機器の設置、使用等の態様に応じてラック５およびコンセント１１の配置位置を変えることができ、ラック５およびコンセント１１を壁体１の表面側の適当な位置に配置することができる。レール３８の縦幅は、たとえば図１１に示したように、ラック５の厚みと略同一とすることができ、ラック５の取付状態の見栄えを良好にすることができる。もちろん、レール３８の縦幅は、ラック５が安定に取り付けられる限り、ラック５の厚みよりも小さくまたは大きくしても構わない。
【００５７】
さらに、図９および図１０に示した実施形態においても、ラック５に備えた第２の係合部８は、表面板２の表面に取り付けられる第１の係合部３としてのレール３８の係合溝３９と同じ係合溝を有するレールとすることができる。この場合、コンセント１１に設けられた第２の被係合部１４は、第１の係合部３にも係合するため、コンセント１１を直接第１の係合部３としてのレール３８に係合させて表面板２の表面側に取り付けることができる。図８に示した適用例のように、電源を供給する電気機器を特にラック５の上に載せる必要がない場合には、コンセント１１を壁体１の表面側に直接取り付けることができる。
【００５８】
以上に示される本発明の壁面ラックコンセント装置は、もちろんキッチン以外にも適用可能である。
【図面の簡単な説明】
【００５９】
【図１】本発明の壁面ラックコンセント装置の一実施形態を示した要部斜視図である。
【図２】図１に示した実施形態の要部側面図である。
【図３】（ａ）（ｂ）は、それぞれ、図１および図２に示した壁面ラックコンセント装置におけるラックの壁体表面側への取り付け方を示した要部側面図である。
【図４】（ａ）（ｂ）は、それぞれ、図１および図２に示した壁面ラックコンセント装置におけるコンセントのラックへの取り付け方を示した要部側面図である。
【図５】図１および図２に示した壁面ラックコンセント装置に電気機器を接続し、載置した状態を示した要部斜視図である。
【図６】第１の係合部の壁体表面側への配設態様をラックおよびコンセントの取付状態とともに示した要部側面図である。
【図７】図１〜図６に示した壁面ラックコンセント装置をキッチンに適用した例を示した要部斜視図である。
【図８】壁面ラックコンセント装置のキッチンへの適用の別の例を示した要部斜視図である。
【図９】本発明の壁面ラックコンセント装置の別の実施形態を示した要部斜視図である。
【図１０】図９に示した実施形態の要部側面図である。
【符号の説明】
【００６０】
１  壁体
３  第１の係合部
４  係合溝
５  ラック
６  第１の被係合部
８  第２の係合部
９  係合溝
１０  レール
１１  コンセント
１２  電源コード
１４  第２の被係合部
２０  作業台
３８  レール
３９  係合溝
【図１】
2008027628.tif 000003
【図２】
2008027628.tif 000004
【図３】
2008027628.tif 000005
【図４】
2008027628.tif 000006
【図５】
2008027628.tif 000007
【図６】
2008027628.tif 000008
【図９】
2008027628.tif 000009
【図１０】
2008027628.tif 000010
【図７】
2008027628.tif 000011
【図８】
2008027628.tif 000012